(57)【特許請求の範囲】
【請求項１】
照明器具と、リモコン送信器とで構成され、上記照明器具は、１つ若しくは複数の光源と、上記光源を点灯させるための１つ若しくは複数の点灯回路部と、上記光源を点灯させる光出力の設定値を複数記憶するための記憶部および上記設定値を書き換えるための光出力設定部を備え上記点灯回路部の出力を制御して上記光源の光出力を変化させる調光制御部と、上記光源を点灯または消灯する操作を行える補助スイッチとを備え、上記リモコン送信器は、上記光源を連続的に調光操作するための調光操作手段と、上記記憶部に記憶されている設定値にて上記光源を点灯させる複数の点灯モードのいずれかを選択する選択操作手段とを備えた照明装置において、
上記照明制御部は、上記点灯モードとして第１点灯モードと第２点灯モードとを有し、
上記第１点灯モードが選択されると、上記記憶部に記憶された上記第１点灯モードに対応する光出力の設定値で上記光源を点灯させ、当該設定値を上記調光操作手段の操作に関わらず固定し、
上記第２点灯モードが選択されると、上記記憶部に記憶された上記第２点灯モードに対応する光出力の設定値で上記光源を点灯させ、当該設定値を上記調光操作手段によって調整された光出力の設定値に随時書き換え、
上記補助スイッチが上記光源を点灯または消灯する際の操作方法とは異なる所定の操作方法で操作されると、上記第１点灯モードに対応する光出力の設定値を、上記調光操作手段によって調整された光出力の設定値に書き換える第１点灯モード光出力設定モードに入ることを特徴とする照明装置。
【請求項２】
上記選択操作手段は、操作される毎に点灯モードを順番に切り替えることを特徴とする請求項１記載の照明装置。
【請求項３】
上記照明制御部は、
上記選択操作手段による選択で点灯モードが上記第２点灯モードから上記第１点灯モードに変化したときは、上記第１点灯モードに対応する光出力の設定値で上記光源を点灯制御し、
上記選択操作手段による選択以外で点灯モードが上記第２点灯モードから上記第１点灯モードに変化したときは、上記第２点灯モードに対応する光出力の設定値で上記光源を点灯制御することを特徴とする請求項１又は２記載の照明装置。
【請求項４】
請求項１〜３のうちいずれか１項記載の照明装置に用いられる照明器具であって、少なくとも上記光源と、上記点灯回路部と、上記調光制御部とを器具本体に設けたことを特徴とする照明器具。
【発明の詳細な説明】
【０００１】
【発明の属する技術分野】
本発明は、光出力を変化させることができる照明装置及び照明器具に関するものである。
【０００２】
【従来の技術】
従来より、この種の照明装置としては、光源と、光源を点灯させる点灯回路部とを備え、操作部の操作に応じて点灯回路部の出力を変化させることにより、光源の光出力を変化させるものが提供されていた。
【０００３】
また、光源の光出力の設定値を複数記憶する記憶部と、この記憶部に記憶されている光出力の設定値を書き換える光出力設定部とを備え、ユーザーの好みや使用状況に応じた光出力で光源を点灯させ、随時その設定値を記憶部に記憶させることで、光源の光出力を一旦調整すれば、再度光出力の再生時、再調整作業を行う必要がない、使い勝手の良い照明装置を設けた照明器具が提供されている。（特願２０００−２６４０１号参照）
【０００４】
【発明が解決しようとする課題】
ところで、上述のユーザーの好みや使用状況は複数あるものの、ある使用状況にて決まった光出力が欲しい場合、記憶部に記憶されている過去の光出力の設定値を、調整した光出力に対応する設置値にて随時更新していては、電源遮断の前後にて使用状況が変わってしまった場合、改めて光出力の調整設定が必要になってくる。
【０００５】
一方、電源遮断の前後にて使用状況が変化せず、前回点灯していた光出力が欲しい場合、固定の光出力しか再現できなければ、同様に改めて光出力の調整設定が必要になってくる。
【０００６】
この上述の２つの場合は相反する状況ではあるが、ごく通常に要求される使用方法である。また、略連続的な調光にて複数の光出力が設定可能である照明器具の場合、使用状況が変わる毎に調整設定をすることで前回の使用状況と同一の光出力に設定することは困難であることも、ユーザーにとって煩わしいものとなる。
【０００７】
本発明は上述の点に鑑みて為されたもので、その目的とするところは、複数の点灯モードを用い、光出力の設定値をユーザーの好みや使用環境に応じて変更することができる照明装置および照明器具を提供することにある。
【０００８】
【課題を解決するための手段】
上記目的を達成するために、請求項１の発明では、照明器具と、リモコン送信器とで構成され、上記照明器具は、１つ若しくは複数の光源と、上記光源を点灯させるための１つ若しくは複数の点灯回路部と、上記光源を点灯させる光出力の設定値を複数記憶するための記憶部および上記設定値を書き換えるための光出力設定部を備え上記点灯回路部の出力を制御して上記光源の光出力を変化させる調光制御部と、上記光源を点灯または消灯する操作を行える補助スイッチとを備え、上記リモコン送信器は、上記光源を連続的に調光操作するための調光操作手段と、上記記憶部に記憶されている設定値にて上記光源を点灯させる複数の点灯モードのいずれかを選択する選択操作手段とを備えた照明装置において、上記照明制御部は、上記点灯モードとして第１点灯モードと第２点灯モードとを有し、上記第１点灯モードが選択されると、上記記憶部に記憶された上記第１点灯モードに対応する光出力の設定値で上記光源を点灯させ、当該設定値を上記調光操作手段の操作に関わらず固定し、上記第２点灯モードが選択されると、上記記憶部に記憶された上記第２点灯モードに対応する光出力の設定値で上記光源を点灯させ、当該設定値を上記調光操作手段によって調整された光出力の設定値に随時書き換え、上記補助スイッチが上記光源を点灯または消灯する際の操作方法とは異なる所定の操作方法で操作されると、上記第１点灯モードに対応する光出力の設定値を、上記調光操作手段によって調整された光出力の設定値に書き換える第１点灯モード光出力設定モードに入ることを特徴とし、上記調光制御部が上記記憶部に記憶された光出力の設定値に応じて上記点灯回路部の出力を変化させることで上記光源の調光制御を行い、操作選択により、設定値を随時書き換えられ設定される点灯モードを使用すると、点灯モードの変更があっても設定値が記憶部に記憶されるから、一旦光出力を調整すれば、再度光出力の調整作業を行う必要がなく、その点灯モードを再生する場合、調整した同じ光出力を再現することができ、一方、固定の設定値を設定しておく点灯モードを使用すると、光源の光出力を任意に調整して変化させても、その点灯モードを選択すれば、固定の設定値に対応する光出力を再現でき、どちらかの点灯モードも使用状況に応じた光出力により光源を点灯させることができ、ユーザーの好みにより点灯モードを選択することで照明器具の使い勝手が向上する。また、上記記憶部に固定の光出力の設定値を記憶設定しておく点灯モードの設定値を上記調光操作手段の調光操作によって調整された光出力の設定値に変更設定可能としたから、よりユーザー好みの光出力を再現しやすくすることができる。
【０００９】
請求項２の発明では、請求項１の発明において、上記選択操作手段は、操作される毎に点灯モードを順番に切り替えることを特徴とし、ユーザーにとって点灯モードの選択方法が簡略明解となり、照明器具の使い勝手が向上するとともに、好みの光出力を再現できる。
【００１１】
請求項３の発明では、請求項１又は２の発明において、上記照明制御部は、上記選択操作手段による選択で点灯モードが上記第２点灯モードから上記第１点灯モードに変化したときは、上記第１点灯モードに対応する光出力の設定値で上記光源を点灯制御し、上記選択操作手段による選択以外で点灯モードが上記第２点灯モードから上記第１点灯モードに変化したときは、上記第２点灯モードに対応する光出力の設定値で上記光源を点灯制御することを特徴とし、ユーザーによる選択操作手段の操作以外で、点灯モードが固定の光出力の設定値を設定しておく点灯モードに変化しても変化する前の光源の光出力を維持することができ、ユーザーに違和感を与えることがない。
【００１２】
請求項４の発明では、請求項１〜３のうちいずれか１項記載の照明装置に用いられる照明器具であって、少なくとも上記光源と、上記点灯回路部と、上記調光制御部とを器具本体に設けたことを特徴とし、上記の請求項１乃至３の照明装置の作用を奏する照明器具を提供できる。
【００１３】
【発明の実施の形態】
以下本発明を基本形態および実施形態により説明する。
（基本形態１）
本基本形態の照明装置は、操作部を除く回路部を器具本体（図示せず）に備えた照明器具Ａと、操作部たるリモコン送信器Ｂとで構成され、照明器具Ａがリモコン送信器Ｂから送信される、例えば赤外線を信号媒体として用いたリモコン信号Ｘにより遠隔操作される。
【００１４】
本基本形態の照明器具Ａは、例えば２重環形の蛍光ランプのような光源１と、豆球のような補助用の光源２と、商用電源ＡＣの交流電圧を整流して得られる直流電圧をスイッチング素子でスイッチングすることにより高周波電圧に変換し、この変化された高周波電圧によって光源１を高周波点灯させる第１点灯回路部３と、上記リモコン送信器Ｂから送信されたリモコン信号Ｘを受光部４を介して受信すると、リモコン信号Ｘにて送信されてきたユーザーの好みが反映している操作データに応じた調光制御信号又は、点灯制御信号を発生する調光制御部５と、調光制御部５から出力される電圧信号からなる調光制御信号の電圧レベルに応じて第１点灯回路部３のスイッチング周波数を変化させることにより第１点灯回路部３の出力を変化させて、光源１の光出力を変化させる駆動回路部６と、調光制御部５からの点灯制御信号に応じて光源２を点灯／消灯させる第２点灯回路部７とを器具本体（図示せず）に備えている。
【００１５】
調光制御部５はマイクロ−コンピュータ等から構成され、光源１を点灯させる光出力の設定値を複数記憶する記憶部８と、記憶部８に記憶された光出力の設定値を書き換える光出力設定部９とを備え、光源１の光出力が記憶部８に記憶された設定値となるように第１点灯回路部３の出力を変化させる調光制御信号を出力する。この調光制御信号は上述のように電圧レベルで、光出力値を示すようになっている。
【００１６】
リモコン送信器Ｂは、ユーザーの好みの調光制御や、点灯制御が得られるように操作するためのスイッチ手段を備え、このスイッチ手段の操作に応じた操作データをリモコン信号Ｘにより照明器具Ａに送信するようになっている。
【００１７】
この操作部たるリモコン送信器Ｂの器体１０は片手で持って操作することができる程度の大きさで且つ偏平な形状に形成されており、器体１０の前面には上記スイッチ手段として、光源１の光出力を略連続的に増加させるために押操作されるアップスイッチ１１と、光源１の光出力を略連続的に減少させるために押操作されるダウンスイッチ１２と、複数の点灯モードを選択できる押し釦スイッチからなるスイッチ１５乃至１８を設けている。
【００１８】
アップスイッチ１１およびダウンスイッチ１２は光源１の光出力を調整するための調光操作手段を構成し、スイッチ１５はある固定されている光出力の設定値で光源１を点灯させる第１点灯モードの選択操作手段を、スイッチ１６は随時更新書き換えされる光出力の設定値で光源１を点灯させる第２点灯モードの選択操作手段をそれぞれ構成する。またスイッチ１７は豆球たる光源２を点灯／消灯させるスイッチ、スイッチ１８は光源１（或いは光源２も含めて）を全消灯させる消灯スイッチである。
【００１９】
調光制御部５内の記憶部８には第１点灯モードに対応した光出力の設定値（例えば光束最大値に対応する値）が固定的に記憶されているとともに、上記アップスイッチ１１やダウンスイッチ１２の操作によって調整された光出力に対応する光出力設定部９からの光出力の設定値に応じて随時書き換えられる第２点灯モードに対応した光出力の設定値が記憶されている。
【００２０】
而して電源遮断（消灯）の前後にて使用状況が変化せず、前回点灯していた光出力が欲しい場合、スイッチ１６を操作すれば良く、この場合リモコン送信器Ｂから当該操作データを含むリモコン信号Ｘが照明器具Ａ側に送信され、受光部４により受信されたリモコン信号Ｘに含まれる前記該操作データに基づいて調光制御部５は記憶部８に現在記憶されている第２点灯モードに対応する光出力の設定値を読み出し、この設定値に対応する調光制御信号を第１点灯回路部３の駆動回路部６に出力して光源１の光出力を前回点灯していた光出力に制御する。つまり前回点灯時において電源遮断（消灯）されたときの最後の光出力のレベルが再生されることになる。
【００２１】
勿論この再生された光出力をアップスイッチ１１やダウンスイッチ１２の操作によって変化調整させることができ、この変化に対応する光出力設定部９から出力される光出力の設定値により記憶部８に記憶する第２点灯モードの光出力の設定値が随時更新され、消灯させた後や点灯モードを第１点灯モードに切り替えた後に、アップスイッチ１１やダウンスイッチ１２の操作があっても設定値が図２の丸印（イ）に示すように保持される。
【００２２】
一方、スイッチ１５を操作して第１点灯モードを選択すると、リモコン送信器Ｂから当該操作データを含むリモコン信号Ｘが照明器具Ａ側に送信され、受光部４により受信されたリモコン信号Ｘに含まれる操作データに基づいて調光制御部５は記憶部８に記憶されている第１点灯モードに対応する光出力の設定値を読み出し、この光出力の設定値に対応する調光制御信号を第１点灯回路部３の駆動回路部６に出力して光源１を点灯させる。つまりスイッチ１５を操作すれば第１点灯モードにより図２に示すように所定のレベルの光出力（図２では丸印（ロ）で示す最大光束値に対応）で光源１を点灯させることができるのである。この第１点灯モード下でアップスイッチ１１やダウンスイッチ１２の操作によって光出力を調整することができるが、第１点灯モードに対応する光出力の設定値の記憶内容は更新されない。
【００２３】
このようにして、本基本形態では、ユーザーの好みや使用状況により点灯モードを選択することで照明器具Ａの使い勝手が向上する。
【００２４】
尚本基本形態では操作部としてリモコン送信器Ｂを例として挙げているが、光出力を調整する調光操作が可能でまた点灯モードを選択できる操作部であれば、その伝送方式は特にこだわらない。
【００２５】
またた豆球たる光源２も調光制御部５の制御の下で第２点灯回路部７により光源１と同様に調光するようにしても良い。
【００２６】
（基本形態２）
本基本形態は、操作部たるリモコン送信器Ｂの構成が図３に示すようにスイッチ１５〜１８の代わりに一つの順送りボタン１３に代えたリモコン送信器Ｃを用いた点に特徴がある。尚照明器具Ａの構成は基本形態１と同じであるので図１の構成を参照する。
【００２７】
つまり基本形態１ではスイッチ１５、スイッチ１６によって点灯モードを選択するようになっているが、順送りボタン１３の押し操作毎にスイッチ１５乃至１８の役割を順次切り替えるようなっている。勿論順送りボタン１３の切り替えは第１，第２点灯モードの選択のみとし、その他のスイッチ１７，１８を別個に設けても良い。
【００２８】
本基本形態では同一のスイッチのボタンを押すだけの点灯モードの再生操作が可能となり、ユーザーにとって操作方法が簡略明解となり照明器具の使い勝手が向上するとともに．好みの光出力を再現しやすくなる。
【００２９】
尚本基本形態では操作部としてリモコン送信器Ｂを例として挙げているが、光出力を調整する調光操作が可能でまた点灯モードを選択できる操作部であれば、その伝送方式は特にこだわらない。
【００３０】
（実施形態１）
本実施形態は図４に示すように調光制御部５に第１点灯モードの光出力の設置値を設定するための設定スイッチ１４を追加した点で基本形態１の図１に示す照明装置の回路構成と相違する。尚図１と同じ構成要素には同じ符号を付し説明は省略する。また設定スイッチ１４は、リモコン送信器が故障や、紛失した場合でもリモコン機器をオン／オフさせるようにリモコン機器に通常設けられている補助スイッチを兼ねるものである。
【００３１】
而してリモコン送信器Ｂ（又はＣ）の操作により図５に示すように第１点灯モードが選択され、第１点灯モードにより光源１を点灯させている状態で、上記設定スイッチ１４の押し釦を一定時間（例えば２秒以上）押し続けると、調光制御部５の動作が第１点灯モード光出力設定モードに入り、このモード下では第２点灯モードの場合と同様にアップスイッチ１１やダウンスイッチ１２の調光操作によって光出力を調整した場合、その光出力のレベル変化に応じて光出力設定部９から出力される設定値で、記憶部８の第１点灯モードの対応する光出力の設定値を更新書き換えができることになる。従って調光操作によって光源１の光出力が所望の光出力となったときにリモコン送信器Ｂ（或いはＣ）で第１点灯モードを選択するスイッチ１５を操作すれば、この操作に対応する操作データを受信した調光制御部５ではその時点の光出力設定部９が出力する設定値を記憶部８に記憶固定させる。これにより以後上記の設定スイッチ１４の操作を行わないかぎり、上記の第１点灯モードが選択されると記憶部８に固定記憶された設定値に基づいた調光制御信号が調光制御部５から第１点灯回路部６に与えられ、光源１が上記設定値に対応する光出力で点灯することになる。
【００３２】
図６は第１点灯モードにおいて光出力設定モードに入った場合の光出力レベルの変化を示しており、丸印（ロ）は丸印（ロ’）の設定値が設定変更され、新たに記憶部８に固定記憶された第１点灯モード時の光出力の設定値を示す。尚丸印（イ）は第２点灯モードに対応する現在記憶部８に記憶されている光出力の設定値を示す。
【００３３】
ところで図５に示すように第１点灯モード下で設定スイッチ１４が押し操作されてその押し操作期間が２秒未満の場合には調光制御部５は光源１を消灯させるように第１点灯回路部３を制御する。つまり補助スイッチとして機能する。
【００３４】
また第２点灯モード下や光源２を点灯させている状態で、設定スイッチ１４が押し操作されると、調光制御部５は点灯している光源１や光源２を消灯させるように第１点灯回路部３や第２点灯回路部７を制御する。そして消灯状態で、設定スイッチ１４を押し操作すると、調光制御部５は第１点灯モードに対応する設定値を記憶部８から読み出し、この設定値に基づいた調光制御信号を第１点灯回路部６に出力し、光源１を上記設定値に対応する光出力で点灯させる。また光源２も第２点灯回路部７を通じて点灯させる。これらの場合も設定スイッチ１４が補助スイッチとして機能する場合であり、これらの場合において２秒以上押し操作が続いても第１点灯モード光出力設定モードには入らない。
【００３５】
以上の本実施形態では、第１点灯モード光出力設定モードにより光出力を調整して、ユーザー好みの光出力に対応する設定値を第１点灯モードの光出力の設定値として記憶部８に記憶させることができ、この記憶させた後リモコン送信器Ｂ（又はＣ）の操作で第１点灯モードを選択すれば、新たに記憶させた設定値の光出力で光源１を点灯させることができることになる。
【００３６】
尚本実施形態では操作部としてリモコン送信器Ｂを例として挙げているが、光出力を調整する調光操作が可能でまた点灯モードを選択できる操作部であれば、その伝送方式は特にこだわらない。
（実施形態２）
本実施形態の照明装置の構成は本発明の本発明の基本形態１，２と同じであるが、第１点灯モードに対応して記憶部８に記憶させる設定値としては、固定された設定値と、リモコン送信器Ｂ（又はＣ）での調光操作に対応して光出力設定部９から出力されている設定値により随時書き換えられ設定される設定値とを備え、以下のように使い分けられるようになっている。
【００３７】
つまりユーザーの操作に無関係に発生する点灯モードの変化には、外来ノイズの影響を含め、入力電源変動によるところが多く、例えばある光出力に調整して光源１を点灯させているときに、ユーザーの意志ではない、例えば入力電源変動によって第１点灯モードに点灯モードが変化すれば、調光制御部５は記憶部８から第１点灯モードの設定値として随時書き換えられる光出力の設定値（図７の丸印（ロ”）で光出力を再生し、ユーザーの意志による操作部たるリモコン送信器Ｂ（又はＣ）からの点灯モード変化指示があれば第１点灯モードに対応して固定記憶されている設定値により光出力を再生する（図７の丸印（ロ））。尚図７の丸印（イ）は第２点灯モードの現在記憶部８に記憶されている光出力の設定値を示す。
【００３８】
このように本実施形態では、ユーザーが意識しない変化である、一定時間の入力電源変動（例えば瞬時停電や瞬時降圧）による第１点灯モードへの変化は光出力変化が生じず、ユーザーの違和感を解消することができる。
【００３９】
尚本実施形態では操作部としてリモコン送信器Ｂを例として挙げているが、光出力を調整する調光操作が可能でまた点灯モードを選択できる操作部であれば、その伝送方式は特にこだわらない。
【００４０】
【発明の効果】
請求項１の発明は、照明器具と、リモコン送信器とで構成され、上記照明器具は、１つ若しくは複数の光源と、上記光源を点灯させるための１つ若しくは複数の点灯回路部と、上記光源を点灯させる光出力の設定値を複数記憶するための記憶部および上記設定値を書き換えるための光出力設定部を備え上記点灯回路部の出力を制御して上記光源の光出力を変化させる調光制御部と、上記光源を点灯または消灯する操作を行える補助スイッチとを備え、上記リモコン送信器は、上記光源を連続的に調光操作するための調光操作手段と、上記記憶部に記憶されている設定値にて上記光源を点灯させる複数の点灯モードのいずれかを選択する選択操作手段とを備えた照明装置において、上記照明制御部は、上記点灯モードとして第１点灯モードと第２点灯モードとを有し、上記第１点灯モードが選択されると、上記記憶部に記憶された上記第１点灯モードに対応する光出力の設定値で上記光源を点灯させ、当該設定値を上記調光操作手段の操作に関わらず固定し、上記第２点灯モードが選択されると、上記記憶部に記憶された上記第２点灯モードに対応する光出力の設定値で上記光源を点灯させ、当該設定値を上記調光操作手段によって調整された光出力の設定値に随時書き換え、上記補助スイッチが上記光源を点灯または消灯する際の操作方法とは異なる所定の操作方法で操作されると、上記第１点灯モードに対応する光出力の設定値を、上記調光操作手段によって調整された光出力の設定値に書き換える第１点灯モード光出力設定モードに入るので、上記調光制御部が上記記憶部に記憶された光出力の設定値に応じて上記点灯回路部の出力を変化させることで上記光源の調光制御を行い、操作選択により、設定値を随時書き換えられ設定される点灯モードを使用すると、点灯モードの変更があっても設定値が記憶部に記憶されるから、一旦光出力を調整すれば、再度光出力の調整作業を行う必要がなく、その点灯モードを再生する場合、調整した同じ光出力を再現することができ、一方、固定の設定値を設定しておく点灯モードを使用すると、光源の光出力を任意に調整して変化させても、その点灯モードを選択すれば、固定の設定値に対応する光出力を再現でき、どちらかの点灯モードも使用状況に応じた光出力により光源を点灯させることができ、ユーザーの好みにより点灯モードを選択することで照明器具の使い勝手が向上するという効果がある。また、上記記憶部に固定の光出力の設定値を記憶設定しておく点灯モードの設定値を上記調光操作手段の調光操作によって調整された光出力の設定値に変更設定可能としたから、よりユーザー好みの光出力を再現しやすくすることができるという効果がある。
【００４１】
請求項２の発明は、請求項１の発明において、上記選択操作手段は、操作される毎に点灯モードを順番に切り替えるので、ユーザーにとって点灯モードの選択方法が簡略明解となり、照明器具の使い勝手が向上するとともに、好みの光出力を再現できるという効果がある。
【００４３】
請求項３の発明は、請求項１又は２の発明において、上記照明制御部は、上記選択操作手段による選択で点灯モードが上記第２点灯モードから上記第１点灯モードに変化したときは、上記第１点灯モードに対応する光出力の設定値で上記光源を点灯制御し、上記選択操作手段による選択以外で点灯モードが上記第２点灯モードから上記第１点灯モードに変化したときは、上記第２点灯モードに対応する光出力の設定値で上記光源を点灯制御するので、ユーザーによる選択操作手段の操作以外で、点灯モードが固定の光出力の設定値を設定しておく点灯モードに変化しても変化する前の光源の光出力を維持することができ、ユーザーに違和感を与えることがないという効果がある。
【００４４】
請求項４の発明は、請求項１〜３のうちいずれか１項記載の照明装置に用いられる照明器具であって、少なくとも上記光源と、上記点灯回路部と、上記調光制御部とを器具本体に設けたことを特徴とするので、上記の請求項１乃至３の照明装置の作用を奏する照明器具を提供できるという効果がある。
【図面の簡単な説明】
【図１】  本発明の基本形態１の全体構成図である。
【図２】  同上による各点灯モードの光出力レベルの変化図である。
【図３】  本発明の基本形態２のリモコン送信器の正面図である。
【図４】  本発明の実施形態１の照明器具側の構成図である。
【図５】  同上の設定スイッチの操作による動作説明用流れ図である。
【図６】  同上の各点灯モードの光出力レベルの変化図である。
【図７】  本発明の実施形態２の各点灯モードの光出力レベルの変化図である。
【符号の説明】
Ａ      照明器具
Ｂ      リモコン送信器
ＡＣ    商用電源
１，２  光源
３      第１点灯回路部
４      受光部
５      調光制御部
６      駆動回路部
７      第２点灯回路部
８      記憶部
９      光出力設定部
１０    器体
１１    アップスイッチ
１２    ダウンスイッチ
１５〜１８  スイッチ
【図１】
0004003407.tif 000002
【図２】
0004003407.tif 000003
【図３】
0004003407.tif 000004
【図４】
0004003407.tif 000005
【図５】
0004003407.tif 000006
【図６】
0004003407.tif 000007
【図７】
0004003407.tif 000008